(57)【要約】【課題】内容量が大きく内容物を充填し易いガゼット袋を、歩留まり良く効率的に、かつ安価に製造することが可能なガゼット袋の製造方法を提供する。【解決手段】ガゼット袋Ｐ１の製造方法は、マチ構成体を形成するマチ構成体形成工程、マチ構成体を裏側の胴材形成用の合成樹脂フィルム上に載置する載置工程、帯状部材を利用してマチ構成体を合成樹脂フィルムに固着させる帯状部材融着工程、底部の折り込み部を形成するための挟み込み工程、マチ構成体および底部の折り込み部形成用の合成樹脂フィルムを挟み込んだ表裏２枚の合成樹脂フィルムをヒートシールするヒートシール工程、ヒートシールされた合成樹脂フィルム積層体を所定の形状で裁断してガゼット袋Ｐ１，Ｐ１を得る裁断工程を有している。製造されるガゼット袋Ｐ１は、折り込み材３ａ，３ｂの上端際が帯状部材１０によって胴材２ｂにヒートシールされている。【選択図】図８
2018167568.tif 000002
【特許請求の範囲】
【請求項１】
合成樹脂フィルムによって、表裏の胴材の左右両側にマチが設けられており、かつ、頭部に開口部が設けられたガゼット袋を製造するための製造方法であって、
下記の（ａ）〜（ｅ）の工程を有することを特徴とするガゼット袋の製造方法。
（ａ）長尺な帯状の合成樹脂フィルムの左右を折り返すとともに所定の長さ毎に裁断してマチ構成体を形成するマチ構成体形成工程
（ｂ）形成された所定の長さのマチ構成体を、表裏何れか片側の胴材形成用の長尺な帯状の第一の合成樹脂フィルムの上に、長手方向が互いに直交し、かつ、第一の合成樹脂フィルムの長手方向に沿って所定の長さを隔てて等間隔となるように、左右２列に所定の間隔をあけて並べて載置する載置工程
（ｃ）熱融着層を有する長尺な２本の帯状部材を、第一の合成樹脂フィルムの上に左右２列に載置された複数のマチ構成体の内側の各端縁を覆うように別々に熱融着させることによって、複数のマチ構成体を第一の合成樹脂フィルムに左右２列で固着させる帯状部材融着工程
（ｄ）複数のマチ構成体を固着してなる第一の合成樹脂フィルムの上に、他側の胴材形成用の長尺な帯状の第二の合成樹脂フィルムを被覆させて、挟み込まれた複数のマチ構成体の幅方向の各中央部分を長手方向に沿って一定の幅でヒートシールするとともに、各マチ構成体の外側の端縁際を一定の幅でヒートシールすることによって、複数のマチ構成体と第一の合成樹脂フィルムと第二の合成樹脂フィルムとを固着させてなる合成樹脂フィルム積層体を形成するヒートシール工程
（ｅ）形成された合成樹脂フィルム積層体を、左右２列になった状態で挟み込まれた複数のマチ構成体の２つ列の間と、挟み込まれた複数のマチ構成体の幅方向の中央のヒートシール部分とにおいて裁断することによってガゼット袋を形成する裁断工程
【請求項２】
前記帯状部材融着工程（ｃ）と前記ヒートシール工程（ｄ）との間に、下記の（ｆ）の工程を有することを特徴とする請求項１に記載のガゼット袋の製造方法。
（ｆ）帯状部材に熱融着されていない各マチ構成体の外側の端縁を、上下に二股の先細状になるように折り曲げて、その折り曲げられた各マチ構成体の外側の端縁に、下側の折り込み部形成用の二つ折りした長尺な帯状の第三の合成樹脂フィルムを挟み込む挟み込み工程
【請求項３】
合成樹脂フィルムによって、表裏の胴材の左右両側にマチが設けられており、かつ、頭部に開口部が設けられたガゼット袋を製造するための製造方法であって、
下記の（ａ）〜（ｅ）の工程を有することを特徴とするガゼット袋の製造方法。
（ａ）長尺な帯状の合成樹脂フィルムの左右を折り返すとともに所定の長さ毎に裁断してマチ構成体を形成するマチ構成体形成工程
（ｂ）形成された所定の長さのマチ構成体を、表裏何れか片側の胴材形成用の長尺な帯状の第一の合成樹脂フィルムの上に、長手方向が互いに直交し、かつ、第一の合成樹脂フィルムの長手方向に沿って所定の長さを隔てて等間隔となり、なおかつ、外端縁が第一の合成樹脂フィルムの外側の端縁より内側に位置するように揃えて載置する載置工程
（ｃ）熱融着層を有する長尺な２本の帯状部材を、第一の合成樹脂フィルムの上に載置された複数のマチ構成体の２つの端縁を覆うように別々に熱融着させることによって、複数のマチ構成体を第一の合成樹脂フィルムに固着させる帯状部材融着工程
（ｄ）複数のマチ構成体を固着してなる第一の合成樹脂フィルムの上に、他側の胴材形成用の長尺な帯状の第二の合成樹脂フィルムを被覆させて、挟み込まれた複数のマチ構成体の幅方向の各中央部分および長手方向の中央部分を一定の幅でヒートシールすることによって、複数のマチ構成体と第一の合成樹脂フィルムと第二の合成樹脂フィルムとを固着させてなる合成樹脂フィルム積層体を形成するヒートシール工程
（ｅ）形成された合成樹脂フィルム積層体を、挟み込まれた複数のマチ構成体の長手方向の中間、および、幅方向の中央のヒートシール部分とにおいて裁断することによってガゼット袋を形成する裁断工程
【発明の詳細な説明】
【技術分野】
【０００１】
本発明は、食品、薬品、化粧品、洗剤等の各種の液体や粉体等の包装用袋として使用される合成樹脂フィルムからなるガゼット袋の製造方法に関するものである。
【背景技術】
【０００２】
従来、食品、薬品、化粧品、洗剤等の各種の液体や粉体等の包装用袋として、単一の合成樹脂フィルムや複数の合成樹脂フィルムを積層した積層フィルム等で形成した三方袋、パウチやガゼット袋（多くの内容物を充填できるように左右両サイド等に、所謂、マチを設けたもの）等が広く使用されている。
【０００３】
また、ガゼット袋を連続的に製造する方法としては、マチの部分を形成するためのマチ成形材を、前後面となる胴材を形成するための２枚のフィルムの間に介在させ、しかる後に、底部を形成するためのフィルムを、胴材を形成するための２枚のフィルムの搬送方向と同一方向に搬送させながら、それらのフィルムの間に挟み込んだ後に、所定の部位を断続的にヒートシールし、裁断することによって、左右両サイドおよび底部にマチを形成したガゼット袋を連続的に製造する方法が知られている（特許文献１）。
【先行技術文献】
【特許文献】
【０００４】
【特許文献１】特許４４３６５２１号公報
【発明の概要】
【発明が解決しようとする課題】
【０００５】
しかしながら、上記特許文献１の如きガゼット袋の製造方法は、同一形状のガゼット袋を１個ずつしか製造することができないので、きわめて製造効率が悪い、という不具合がある。また、特許文献１の製造方法では、マチを構成している折り込み材（マチ成形材）が上端の開口部まで至った状態のガゼット袋が形成されるが、そのようなガゼット袋は、上端の開口部から内容物を充填する際に折り込み材（マチ成形材）が邪魔になるため（内容物を充填するノズルと干渉するため）、内容物の充填作業を効率的に行うことが困難である。
【０００６】
本発明の目的は、上記従来のガゼット袋の製造方法が有する問題点を解消し、内容量が大きく内容物を充填し易いガゼット袋を、歩留まり良く、効率的に、かつ、安価に製造することが可能なガゼット袋の製造方法を提供することにある。
【課題を解決するための手段】
【０００７】
本発明の内、請求項１に記載された発明は、合成樹脂フィルムによって、表裏の胴材の左右両側にマチが設けられており、かつ、頭部に開口部が設けられたガゼット袋を製造するための製造方法であって、下記の（ａ）〜（ｅ）の工程を有することを特徴とするものである。
（ａ）長尺な帯状の合成樹脂フィルムの左右を折り返すとともに所定の長さ毎に裁断してマチ構成体を形成するマチ構成体形成工程
（ｂ）形成された所定の長さのマチ構成体を、表裏何れか片側の胴材形成用の長尺な帯状の第一の合成樹脂フィルムの上に、長手方向が互いに直交し、かつ、第一の合成樹脂フィルムの長手方向に沿って所定の長さを隔てて等間隔となるように、左右２列に所定の間隔をあけて並べて載置する載置工程
（ｃ）熱融着層を有する長尺な２本の帯状部材を、第一の合成樹脂フィルムの上に左右２列に載置された複数のマチ構成体の内側の各端縁を覆うように別々に熱融着させることによって、複数のマチ構成体を第一の合成樹脂フィルムに左右２列で固着させる帯状部材融着工程
（ｄ）複数のマチ構成体を固着してなる第一の合成樹脂フィルムの上に、他側の胴材形成用の長尺な帯状の第二の合成樹脂フィルムを被覆させて、挟み込まれた複数のマチ構成体の幅方向の各中央部分を長手方向に沿って一定の幅でヒートシールするとともに、各マチ構成体の外側の端縁際を一定の幅でヒートシールすることによって、複数のマチ構成体と第一の合成樹脂フィルムと第二の合成樹脂フィルムとを固着させてなる合成樹脂フィルム積層体を形成するヒートシール工程
（ｅ）形成された合成樹脂フィルム積層体を、左右２列になった状態で挟み込まれた複数のマチ構成体の２つ列の間と、挟み込まれた複数のマチ構成体の幅方向の中央のヒートシール部分とにおいて裁断することによってガゼット袋を形成する裁断工程
【０００８】
請求項２に記載された発明は、請求項１に記載された発明において、前記帯状部材融着工程（ｃ）と前記ヒートシール工程（ｄ）との間に、下記の（ｆ）の工程を有することを特徴とするものである。
（ｆ）帯状部材に熱融着されていない各マチ構成体の外側の端縁を、上下に二股の先細状になるように折り曲げて、その折り曲げられた各マチ構成体の外側の端縁に、下側の折り込み部形成用の二つ折りした長尺な帯状の第三の合成樹脂フィルムを挟み込む挟み込み工程
【０００９】
請求項３に記載された発明は、合成樹脂フィルムによって、表裏の胴材の左右両側にマチが設けられており、かつ、頭部に開口部が設けられたガゼット袋を製造するための製造方法であって、下記の（ａ）〜（ｅ）の工程を有することを特徴とするものである。
（ａ）長尺な帯状の合成樹脂フィルムの左右を折り返すとともに所定の長さ毎に裁断してマチ構成体を形成するマチ構成体形成工程
（ｂ）形成された所定の長さのマチ構成体を、表裏何れか片側の胴材形成用の長尺な帯状の第一の合成樹脂フィルムの上に、長手方向が互いに直交し、かつ、第一の合成樹脂フィルムの長手方向に沿って所定の長さを隔てて等間隔となり、なおかつ、外端縁が第一の合成樹脂フィルムの外側の端縁より内側に位置するように揃えて載置する載置工程
（ｃ）熱融着層を有する長尺な２本の帯状部材を、第一の合成樹脂フィルムの上に載置された複数のマチ構成体の２つの端縁を覆うように別々に熱融着させることによって、複数のマチ構成体を第一の合成樹脂フィルムに固着させる帯状部材融着工程
（ｄ）複数のマチ構成体を固着してなる第一の合成樹脂フィルムの上に、他側の胴材形成用の長尺な帯状の第二の合成樹脂フィルムを被覆させて、挟み込まれた複数のマチ構成体の幅方向の各中央部分および長手方向の中央部分を一定の幅でヒートシールすることによって、複数のマチ構成体と第一の合成樹脂フィルムと第二の合成樹脂フィルムとを固着させてなる合成樹脂フィルム積層体を形成するヒートシール工程
（ｅ）形成された合成樹脂フィルム積層体を、挟み込まれた複数のマチ構成体の長手方向の中間、および、幅方向の中央のヒートシール部分とにおいて裁断することによってガゼット袋を形成する裁断工程
【発明の効果】
【００１０】
請求項１に記載のガゼット袋の製造方法によれば、内部において折り込み材の上端際が帯状部材によって胴材に固着されたガゼット袋を、一度に２個ずつ連続的に製造することができる。したがって、当該製造方法によれば、内容量が大きく（内容物を充填するノズルが折り込み材と干渉しないため）内容物を充填し易いガゼット袋を、簡潔なプロセスによって、歩留まり良く、効率的に、かつ、安価に製造することが可能となる。
【００１１】
請求項２に記載のガゼット袋の製造方法によれば、内容量が非常に大きく内容物を充填し易い上、きわめて自立性の高いガゼット袋を、簡潔なプロセスによって、歩留まり良く、効率的に、かつ、安価に製造することが可能となる。
【００１２】
請求項３に記載のガゼット袋の製造方法によれば、内容量の大きいガゼット袋を、きわめて簡潔なプロセスによって、非常に効率的に生産することが可能となる。
【図面の簡単な説明】
【００１３】
【図１】ガゼット袋の製造方法（実施例１）におけるマチ構成体形成工程を示す説明図である（ａは、合成樹脂フィルムの左右を折り返した状態を示したものであり、ｂは、左右を折り返した合成樹脂フィルムの対峙した端縁を繋ぎ止めるとともに所定の間隔で裁断した状態を示したものであり、ｃは、ｂにおける繋ぎ止め部分の鉛直端面（合成樹脂フィルムの長手方向と直交した鉛直端面）を示したものである）。
【図２】ガゼット袋の製造方法（実施例１）における載置工程を示す説明図である。
【図３】ガゼット袋の製造方法（実施例１）における帯状部材融着工程を示す説明図である。
【図４】ガゼット袋の製造方法（実施例１）における挟み込み工程（前段）を示す説明図である。
【図５】ガゼット袋の製造方法（実施例１）における挟み込み工程（後段）を示す説明図である。
【図６】ガゼット袋の製造方法（実施例１）におけるヒートシール工程（前段）を示す説明図である。
【図７】ガゼット袋の製造方法（実施例１）におけるヒートシール工程（後段）および裁断工程を示す説明図である。
【図８】実施例１の製造方法により製造されたガゼット袋を示す説明図である（ａは正面図であり、ｂはａにおけるＡ−Ａ線端面図であり、ｃはａにおけるＢ−Ｂ線端面図であり、ｄはａにおけるＣ−Ｃ線端面図であり、ｅはａにおけるＤ−Ｄ線端面図である）。
【図９】実施例１の製造方法により製造されたガゼット袋の左右の折り込み材および底部の折り込み材を示す説明図である（ａは正面図であり、ｂは左側の折り込み材の下端際の左側面の端面図（すなわち、ａにおける矢印Ｅ方向の矢視図）であり、ｃは左側の折り込み材と底部の折り込み材とを分離した状態の斜視図である）。
【図１０】ガゼット袋の製造方法（実施例２）におけるヒートシール工程を示す説明図である。
【図１１】実施例２の製造方法により製造されたガゼット袋を示す説明図である（ａは正面図であり、ｂはａにおけるＡ−Ａ線端面図であり、ｃはａにおけるＢ−Ｂ線端面図であり、ｄはａにおけるＣ−Ｃ線端面図である）。
【図１２】ガゼット袋の製造方法（変更例）における帯状部材融着工程を示す説明図である。
【図１３】ガゼット袋の製造方法（変更例）におけるヒートシール工程（後段）および裁断工程を示す説明図である。
【発明を実施するための形態】
【００１４】
本発明に係る製造方法においては、ガゼット袋の形成材料として合成樹脂フィルム（あるいは合成樹脂シート）が用いられる。ここでいう合成樹脂フィルム（あるいは合成樹脂シート）とは、食品、薬品、化粧品、洗剤等の包装材料として用いられる単一の合成樹脂フィルム、あるいは複数の合成樹脂フィルムを積層した積層フィルム、もしくは合成樹脂フィルムと紙やアルミ箔等とを積層した積層フィルム等のことである。本発明に係るガゼット袋に用いられる合成樹脂フィルム（あるいは合成樹脂シート）は、少なくとも片面（内面）が熱接着性を有している必要がある。
【００１５】
そのような合成樹脂フィルムとしては、ポリエステルフィルム、ナイロンフィルム、ポリプロピレンフィルム等のベースフィルムに、ポリエチレンフィルム、ポリプロピレンフィルム等の熱接着性フィルムを積層したラミネートフィルム等を好適に用いることができる。また、そのようなラミネートフィルムの中間にポリエステルフィルムやナイロンフィルム等を挟み込んだ３層以上のラミネートフィルムも好適に用いることができる。
【００１６】
なお、ベースフィルムや中間層を形成するフィルムは、未延伸のものを用いることも可能であるし、一軸延伸あるいは二軸延伸したものを用いることも可能である。また、ベースフィルムと熱接着性フィルムとの界面、ベースフィルムと中間層を形成するフィルムとの界面、中間層を形成するフィルムと熱接着性フィルムとの界面には、必要に応じて、金属箔層や金属蒸着層を設けることも可能である。一方、合成樹脂フィルムの厚みは、特に限定されないが、内容物に対する保存性能や耐破袋強度等の面から、４０〜２５０μｍであると好ましく、１１０〜１８０μｍであるとより好ましい。
【００１７】
本発明に係るガゼット袋の製造方法は、上記した合成樹脂フィルムを、上記したマチ構成体形成工程（ａ）、載置工程（ｂ）、帯状部材融着工程（ｃ）、ヒートシール工程（ｄ）および裁断工程（ｅ）を含む製造工程によって、所定の態様で積層し、その積層体の所定の部分をヒートシールし、所定の部位で裁断することによりガゼット袋（すなわち、上部を開口した左右に所謂マチ（折込部分）を有する袋状体）を製造するものである。また、本発明に係るガゼット袋の製造方法においては、帯状部材融着工程（ｃ）とヒートシール工程（ｄ）との間に、底部の折り込み部を形成するための挟み込み工程（ｆ）を実施することも可能である。
【００１８】
各ヒートシール（ガゼット袋の側方、底部等のシール部の形成、帯状部材のヒートシール等）および裁断は、ガゼット製袋機を用いて、一連の加工として実施することも可能であるし、バッチ（非一連）の加工として実施することも可能である。なお、ヒートシールの温度は、特に限定されないが、ポリエチレン（直鎖状低密度ポリエチレン）フィルムを熱接着性フィルムとする合成樹脂フィルムを用いる場合には、１７０〜２１０℃の範囲内にするのが好ましい。
【００１９】
また、本発明に係る製造方法によって製造されるガゼット袋は、正面視で概ね矩形のものであるが、その大きさは特に限定されず、高さ、幅ともに概ね５０〜３５０ｍｍの範囲内で、必要に応じて調整することができる。また、本発明に係る製造方法によって製造されるガゼット袋は、左右両サイドおよび／または底部にマチ（内向きに二つ折りに折り込んだ部分）を設けたものであるが、当該マチの幅（二つ折り部分の幅）も、特に限定されず、左右両サイドおよび底部のマチについては、概ね１０ｍｍ〜ガゼット袋の幅の半分未満の範囲内で必要に応じて調整することができる。
【実施例】
【００２０】
以下、本発明に係るガゼット袋の製造方法について実施例に基づいてより詳細に説明するが、本発明は、かかる実施例の態様に何ら限定されるものではなく、本発明の趣旨を逸脱しない範囲で、適宜変更することが可能である。
【００２１】
［実施例１］
＜ガゼット袋の製造方法＞
図１〜７は、実施例１の製造方法によりガゼット袋を製造する様子を示したものであり、実施例１の製造方法では、まず、図１（ａ）の如く、所定の厚み（総厚み１５７μｍ）を有する長尺な一定幅（略２１０ｍｍ）の帯状の合成樹脂フィルム（片面が熱接着性を有するもの）ＦＭの左右を折り返して（熱接着性の面が外側になるように折り返して）、折返し部４１，４１を形成する（なお、折返し部４１，４１以外の部分をベース部４２とする）。しかる後、それらの折返し部４１，４１の対峙した端縁同士に跨がるように、合成樹脂フィルムＦＭと同じ合成樹脂フィルム製で一定幅（約５ｍｍ幅）の長尺状の離反防止テープ４４を、熱接着性の面が内側になるように重ねてヒートシールすることにより、折返し部４１，４１の対峙した端縁同士を繋ぎ止めて、筒状体を形成する。
【００２２】
また、そのように筒状にした合成樹脂フィルムＦＭを、長手方向と直交するように所定の間隔で（約１９０ｍｍ間隔で）裁断することによって、マチ構成体４３，４３・・を形成する（マチ構成体形成工程）。しかる後、それらのマチ構成体４３，４３・・を、裏側の胴材形成用の所定の厚み（総厚み１５７μｍ）を有する一定幅（略４５０ｍｍ幅）の長尺な帯状の合成樹脂フィルムＦ１（第一の合成樹脂フィルム）の上に載置する（図２参照）。そのようにマチ構成体４３，４３・・を合成樹脂フィルムＦ１の上に載置する際には、合成樹脂フィルムＦ１の熱接着性を有する面を内側にして、マチ構成体４３，４３・・の長手方向が合成樹脂フィルムＦ１の長手方向と直交し、隣り合うマチ構成体４３，４３・・同士の間隔（図２におけるα）が所定の間隔（約１０ｍｍ）となるように調整する。加えて、各マチ構成体４３，４３・・を、それらの外端縁Ｅ，Ｅ・・と合成樹脂フィルムＦ１の左右の端縁とを揃え、各マチ構成体４３，４３・・の内側の端縁同士が一定の間隔（図２におけるβ）となるようにして、左右２列に載置する（載置工程）。
【００２３】
しかる後、図３の如く、表裏両面が熱接着性を有する所定の厚み（総厚み４５μｍ）で一定幅（略２０ｍｍ幅）の長尺な帯状部材１０，１０を利用して、合成樹脂フィルムＦ１の上に２列に載置されたマチ構成体４３，４３・・の内側の端縁際を、合成樹脂フィルムＦ１に固着させる。すなわち、２本の帯状部材１０，１０を、それぞれ、左右２列に並んだマチ構成体４３，４３・・の内側の端縁際を覆うように、合成樹脂フィルムＦ１の長手方向に沿うように一直線状に配置させて、当該帯状部材１０を連続的にヒートシールすることによって、マチ構成体４３，４３・・を構成する合成樹脂フィルムＦＭの外面と帯状部材１０とを融着させるとともに、マチ構成体４３，４３の周囲の部分において、合成樹脂フィルムＦ１の内面（熱接着性を有する面）と帯状部材１０とを融着させる（ヒートシール部Ｈａ）。そして、そのように帯状部材１０，１０を連続的にヒートシールすることによって、それらの帯状部材１０，１０を介して、マチ構成体４３，４３・・を合成樹脂フィルムＦ１に固着させる（帯状部材融着工程）。
【００２４】
上記の如く、帯状部材１０，１０を介して、マチ構成体４３，４３・・を合成樹脂フィルムＦ１に固着させた後には、図４の如く、各マチ構成体４３，４３・・の外側の端縁（帯状部材に熱融着されていない側の端縁）Ｅを先細状に折り曲げる。すなわち、各マチ構成体４３，４３・・のベース部４２を、外端縁Ｅの中心から左右に４５°傾斜した２つの線に沿うように山折りすると同時に、マチ構成体４３，４３・・の折返し部４１，４１を、接合部分の外端から左右に４５°傾斜した２つの線に沿うように山折りする。さらに、それらのベース部４２の２本の山折り線と折返し部４１，４１の２本の山折り線との交点（図４のγ，γ）同士を結ぶ直線に沿うように、折返し部４１，４１を谷折りする。
【００２５】
しかる後、下側の折り込み部形成用の所定の厚み（総厚み１５７μｍ）を有する一定幅（略１２５ｍｍ幅）の長尺な帯状の合成樹脂フィルムＦ３，Ｆ３（合成樹脂フィルムＦ１と同じ合成樹脂フィルムからなる第三の合成樹脂フィルム）を、合成樹脂フィルムＦ１の左右の両外側から、ローラーＲ，Ｒを利用して、二つ折りにした状態（熱接着性の面が外側になるように二つ折りにした状態）で、マチ構成体４３，４３・・の外端縁際のベース部４２の折り曲げ部分（先細状の部分）の上に、連続的に導き入れる。
【００２６】
そして、そのようにマチ構成体４３，４３・・の外端縁際のベース部４２の折り曲げ部分（先細状の部分）の上に合成樹脂フィルムＦ３を導き入れた後には、図５の如く、マチ構成体４３，４３・・の折返し部４１，４１の外端縁際の折り曲げ部分（先細状の部分）を、１８０°折り返して、合成樹脂フィルムＦ３の上側に載置する（そのように、マチ構成体４３，４３・・の折返し部４１，４１の外端縁際の折り曲げ部分を合成樹脂フィルムＦ３の上側に載置することによって、二つ折りされた合成樹脂フィルムＦ３が、上下に二股の先細状になるように折り曲げられたマチ構成体４３，４３・・の外端縁際によって挟み込まれた状態となる）。
【００２７】
上記の如く、マチ構成体４３，４３・・の外端縁際に、二つ折りされた合成樹脂フィルムＦ３を挟み込んだ後には、図６の如く、それらの合成樹脂フィルムＦ１、マチ構成体４３，４３・・および合成樹脂フィルムＦ３からなる積層物の上に、合成樹脂フィルムＦ１，Ｆ３と同じ合成樹脂フィルムである表側の胴材形成用の所定の厚み（総厚み１５７μｍ）を有する一定幅（略４５０ｍｍ幅）の長尺な帯状の合成樹脂フィルムＦ２（第二の合成樹脂フィルム）を、左右の端縁が合成樹脂フィルムＦ１の左右の端縁と合致するように被覆させる。そして、そのように合成樹脂フィルムＦ２を被覆させた後には、重なり合った２枚の合成樹脂フィルムＦ１，Ｆ２の左右の端縁際の部分（マチ構成体４３，４３・・および合成樹脂フィルムＦ３が挟み込まれた部分の外端縁際）を、一定の幅（約１３ｍｍ幅）でヒートシールする（ヒートシール部Ｈｂ）。
【００２８】
さらに、そのように重なり合った２枚の合成樹脂フィルムＦ１，Ｆ２の左右の端縁際の部分をヒートシールするのと並行して、図７の如く、２枚の合成樹脂フィルムＦ１，Ｆ２の間に挟み込まれたマチ構成体４３，４３・・の幅方向の中央部分を、一定の幅（約２６ｍｍ幅）でヒートシールする（ヒートシール部Ｈｃ）。そのように２枚の合成樹脂フィルムＦ１，Ｆ２の左右の端縁際の部分と、マチ構成体４３，４３・・の幅方向の中央部分をヒートシールすることによって、２枚の合成樹脂フィルムＦ１，Ｆ２、マチ構成体４３，４３・・および合成樹脂フィルムＦ３，Ｆ３からなる合成樹脂フィルム積層体４６が形成される。
【００２９】
そして、上記の如く、合成樹脂フィルム積層体４６を形成した後には、その合成樹脂フィルム積層体４６を、所定の態様で裁断する。すなわち、連続的に長尺状に形成される合成樹脂フィルム積層体４６を、重なり合った２枚の合成樹脂フィルムＦ１，Ｆ２の左右の中間（すなわち、合成樹脂フィルムＦ１，Ｆ２の間で２列に並んだ左右のマチ構成体４３，４３・・の内側の端縁際を覆った帯状部材１０，１０の中間（図７におけるδの位置））、および、マチ構成体４３，４３・・の幅方向の中央のヒートシール部Ｈｃの略中央（図７におけるεの位置）において裁断する（裁断工程）。そのように合成樹脂フィルム積層体４６を裁断することによって、一辺を開口し、左右にマチを設け、底部に折り込み部を設けたガゼット袋Ｐ１，Ｐ１・・を連続的に形成することができる。
【００３０】
＜ガゼット袋の構成＞
図８は、上記の如く形成されたガゼット袋Ｐ１を示したものである。ガゼット袋Ｐ１は、合成樹脂フィルムＦ２から形成された表側の胴材２ａ、合成樹脂フィルムＦ１から形成された裏側の胴材２ｂ、合成樹脂フィルムＦＭから形成された左右の折り込み材３ａ，３ｂ、合成樹脂フィルムＦ３から形成された底部の折り込み材４、および帯状部材１０を、所定の態様で重ね合わせて、所定の箇所をヒートシールすることにより、上部を開口した袋状に形成されている。
【００３１】
表裏の胴材２ａ，２ｂは、厚さ１５μｍのナイロンフィルム（ベースフィルム）の上に、アルミ蒸着を施した厚さ１２μｍのポリエステルフィルム（中間層）を、アルミ蒸着面がナイロンフィルムと接合するように積層し、さらにその上に、厚さ１３０μｍの直鎖状低密度ポリエチレンフィルム（熱接着性フィルム）を積層してなる合成樹脂フィルムによって略矩形に形成されており、縦×横＝２２０ｍｍ×１０５ｍｍの大きさを有している。
【００３２】
そして、それらの胴材２ａ，２ｂの左右の両側部には，それぞれ、胴材２ａ，２ｂと同じ合成樹脂フィルムによって形成された折り込み材３ａ，３ｂが、所定の幅（約４７．５ｍｍ幅）の二つ折りになった状態で挟み込まれている。また、胴材２ａ，２ｂの底部には，それぞれ、胴材２ａ，２ｂと同じ合成樹脂フィルムによって形成された折り込み材４が、所定の幅（折り込み材３ａ，３ｂと同一幅）の二つ折りになった状態で挟み込まれている。表裏の胴材２ａ，２ｂは、それぞれ、直鎖状低密度ポリエチレンフィルム（熱接着性フィルム）層を内側にした状態で配置されており、折り込み材３ａ，３ｂは、直鎖状低密度ポリエチレンフィルム層を表裏の胴材２ａ，２ｂの裏面側にした状態で配置されている。
【００３３】
また、ガゼット袋Ｐ１の上端際の部分（上端から約３５ｍｍ下側の部分）においては、帯状部材１０によって折り込み材３ａ，３ｂが裏側の胴材２ｂの内面（裏面）に固着された状態になっている。当該帯状部材１０は、厚さ１５μｍのナイロンフィルム（ベースフィルム）の上下に、それぞれ、厚さ２０μｍの直鎖状(線状)低密度ポリエチレン（ＬＬＤＰＥ）フィルムを積層してなる三層構造の合成樹脂フィルムによって、縦（上下幅）×横＝２０ｍｍ×１０５ｍｍの帯状（テープ状）に形成されている（したがって、帯状部材１０においては、表裏両面が熱接着性面として機能する）。
【００３４】
そして、ガゼット袋Ｐ１の上端際の部分（上端から約３５ｍｍ下側の部分）においては、帯状部材１０が、内側から折り込み材３ａ，３ｂに押し当てられた状態で、裏側の胴材２ｂの外側から加熱されることによって、折り込み材３ａ，３ｂおよび裏側の胴材２ｂにヒートシールされている。そして、帯状部材１０によるヒートシール部分の内の下側の部分（折り込み材３ａ，３ｂを覆った部分）においては、図８（ｃ）の如く、中央では、帯状部材１０の外面と胴材２ｂの裏面（内面）とが融着し合っており、左右両側では、それぞれ、帯状部材１０の外面と折り込み材３ａ，３ｂの裏面とが融着し合っている。さらに、その折り込み材３ａ，３ｂの裏面と融着し合った帯状部材１０の外側においては、裏側の胴材２ｂの裏面（内面）と折り込み材３ａ，３ｂの裏面とが融着し合っている。一方、帯状部材１０によるヒートシール部分の内の上側の部分においては、帯状部材１０の外面と胴材２ｂの裏面（内面）とが融着し合っている。上記の如く、ガゼット袋Ｐ１は、上端際の部分（上端から約３５ｍｍ下側の部分）において、帯状部材１０によって左右の折り込み材３ａ，３ｂの上端縁際が裏側の胴材２ｂにヒートシールされていることにより、表裏の胴材２ａ，２ｂの上端に、内容物を充填するための面積の大きな開口部Ｏが形成された状態になっている。
【００３５】
一方、ガゼット袋Ｐ１の左右の側縁際の胴材２ａ，２ｂと折り込み材３ａ，３ｂとの積層部分においては、一定幅（約８ｍｍ）の帯状の側方シール部５，５・・が設けられており、当該側方シール部５，５・・においては、表側の胴材２ａの裏面と折り込み材３ａ，３ｂの裏面、および、裏側の胴材２ｂの裏面と折り込み材３ａ，３ｂの裏面が、それぞれ融着し合っている（図８（ｂ）参照）。また、前方側（胴材２ａ側）の側方シール部５，５・・の上端際の帯状部材１０によるヒートシール部分においては、胴材２ａの裏面（内面）と帯状部材１０の内面とが融着し合っている。さらに、前方側（胴材２ａ側）の側方シール部５，５・・の内の帯状部材１０によるヒートシール部分より上方の部分においては、胴材２ａの裏面（内面）と胴材２ｂの裏面（内面）とが融着し合っている。
【００３６】
また、ガゼット袋Ｐ１の下端際においては、表裏の胴材２ａ，２ｂの間に、底部の折り込み材４が挟み込まれている（すなわち、折り込み部が形成されている）。図９は、ガゼット袋Ｐ１における左右両サイドの折り込み材３ａ，３ｂおよび底部の折り込み材４を示したものである。左右の各折り込み材３ａ，３ｂの下端際の部分は、それぞれ、断面（鉛直な断面）Ｍ字状になるように中側へ斜めに折り曲げられており、それらの屈曲部分Ｆ，Ｆの内部に、横長な帯状体を二つ折りにしてなる底部の折り込み材４の左右の両端際が挟み込まれている。なお、当該底部の折り込み材４は、胴材２ａ，２ｂ，折り込み材３ａ，３ｂと同様な合成樹脂フィルム（合成樹脂フィルムＦ３）によって形成されており、裏面（熱接着性面）を外向きにした状態で二つ折りされている。さらに、それらの左右の折り込み材３ａ，３ｂおよび底部の折り込み材４の表裏の外側に、胴材２ａ，２ｂが重ねられた状態になっている。
【００３７】
そして、ガゼット袋Ｐ１の左右の側方シール部５，５・・の下端際の部分においては、断面Ｍ字状の屈曲部分Ｆの外側では、表側の胴材２ａの裏面と折り込み材３ａ，３ｂの裏面、および、裏側の胴材２ｂの裏面と折り込み材３ａ，３ｂの裏面が、それぞれ融着し合っており、屈曲部分Ｆの内側では、折り込み材３ａ，３ｂの裏面と底部の折り込み材４の裏面が融着し合っている。
【００３８】
また、底部の折り込み部（折り込み材４が挟み込まれた部分）の下端縁際の部分を一定の高さ（約８ｍｍ）の帯状にヒートシールすることによって底シール部１５，１５が形成されている。そして、それらの底シール部１５，１５においては、表側の胴材２ａの裏面と折り込み材４の裏面、および、裏側の胴材２ｂの裏面と折り込み材４の裏面が、それぞれ融着し合っている。
【００３９】
＜ガゼット袋の使用方法＞
上記の如く構成されたガゼット袋Ｐ１は、ヒートシールされていない上端縁の大きな開口部Ｏ（表側の胴材２ａと裏側の胴材２ｂとの間の部分）から、内容物（液状物、ゲル状物あるいは半固形物等）を充填させて用いられる。そして、そのように内容物を充填させた後に、上端縁の開口部Ｏの胴材２ａと胴材２ｂとをヒートシールすることによって、一定の高さ（約５ｍｍ〜１０ｍｍ）で帯状の頭シール部を形成するとともに密封する。なお、頭シール部は、左右の側方シール部５，５と重なり合うように形成する。
【００４０】
上記の如くガゼット袋Ｐ１に内容物を充填させると、折り込み材３ａ，３ｂの二つ折りになった部分（上端際以外の部分）が拡がって矩形状の側面を形成する。また、底部付近において折り込み材４が拡がって矩形状の底面を形成する。それゆえ、内容物を充填させたガゼット袋Ｐ１は、きわめて安定した状態で起立させることができる。
【００４１】
＜ガゼット袋の製造方法による効果＞
上記したガゼット袋Ｐ１の製造方法は、以下の（ａ）〜（ｅ）の工程を有したものであるため、内部において折り込み材３ａ，３ｂの上端際が帯状部材１０によって裏側の胴材２ｂに固着されたガゼット袋Ｐ１を、一度に２個ずつ連続的に製造することができる。したがって、この製造方法によれば、内容量が非常に大きく（内容物を充填するノズルが折り込み材３ａ，３ｂと干渉しないため）内容物を充填し易いガゼット袋Ｐ１を、簡潔なプロセスによって、歩留まり良く、効率的に、かつ、安価に製造することができる。
（ａ）長尺な帯状の合成樹脂フィルムＦＭの左右を折り返すとともに所定の長さ毎に裁断してマチ構成体４３，４３・・を形成するマチ構成体形成工程
（ｂ）形成された所定の長さのマチ構成体４３，４３・・を、裏側の胴材形成用の長尺な帯状の第一の合成樹脂フィルムＦ１の上に、長手方向が互いに直交し、かつ、第一の合成樹脂フィルムＦ１の長手方向に沿って所定の長さを隔てて等間隔となるように、左右２列に所定の間隔をあけて並べて載置する載置工程
（ｃ）熱融着層を有する長尺な２本の帯状部材１０，１０を、第一の合成樹脂フィルムの上に左右２列に載置された複数のマチ構成体４３，４３・・の内側の各端縁を覆うように別々に熱融着させることによって、複数のマチ構成体４３，４３・・を第一の合成樹脂フィルムＦ１に左右２列で固着させる帯状部材融着工程
（ｄ）複数のマチ構成体４３，４３・・を固着してなる第一の合成樹脂フィルムＦ１の上に、表側の胴材形成用の長尺な帯状の第二の合成樹脂フィルムＦ２を被覆させて、挟み込まれた複数のマチ構成体４３，４３・・の幅方向の各中央部分を長手方向に沿って一定の幅でヒートシールするとともに、各マチ構成体４３，４３・・の外側の端縁際を一定の幅でヒートシールすることによって、複数のマチ構成体４３，４３・・と第一の合成樹脂フィルムＦ２と第二の合成樹脂フィルムＦ２とを固着させてなる合成樹脂フィルム積層体４６を形成するヒートシール工程
（ｅ）形成された合成樹脂フィルム積層体４６を、左右２列になった状態で挟み込まれた複数のマチ構成体４３，４３・・の２つ列の間と、挟み込まれた複数のマチ構成体４３，４３・・の幅方向の中央のヒートシール部分とにおいて裁断することによってガゼット袋Ｐ１，Ｐ１を形成する裁断工程
【００４２】
また、上記したガゼット袋Ｐ１の製造方法においては、帯状部材融着工程（ｃ）とヒートシール工程（ｄ）との間に、下記の挟み込み工程（ｆ）が実施される。したがって、上記したガゼット袋Ｐ１の製造方法によれば、当該挟み込み工程（ｆ）において二つ折りした状態で第一の合成樹脂フィルムＦ１と第二の合成樹脂シートＦ２との間に挟み込まれた第三の合成樹脂フィルムＦ２が、製造後のガゼット袋Ｐ１において底部の折り込み材４となり、内容物を充填したときに底面として機能するため、製造されるガゼット袋Ｐ１をきわめて自立性の高いものとすることができる。
（ｆ）帯状部材１０，１０に熱融着されていない各マチ構成体４３，４３・・の外側の端縁を、上下に二股の先細状になるように折り曲げて、その折り曲げられた各マチ構成体４３，４３・・の外側の端縁に、下側の折り込み部形成用の二つ折りした長尺な帯状の第三の合成樹脂フィルムＦ３を挟み込む挟み込み工程
【００４３】
［実施例２］
図１０は、実施例２の製造方法によりガゼット袋Ｐ２を製造する様子を示したものであり、当該製造方法においては、底部に折り込み部を設けるための挟み込み工程（ｆ）を実施しない。すなわち、実施例２の製造方法は、実施例１と同様な帯状部材融着工程（ｃ）において、帯状部材１０，１０を介して、マチ構成体４３，４３・・を合成樹脂フィルムＦ１に固着させた後に、それらの合成樹脂フィルムＦ１、帯状部材１０，１０、およびマチ構成体４３，４３・・からなる積層物の上に、表側の胴材形成用の所定の厚みを有する一定幅の長尺な帯状の合成樹脂フィルムＦ２（第二の合成樹脂フィルム）を、左右の端縁が合成樹脂フィルムＦ１の左右の端縁と合致するように被覆させる。
【００４４】
そして、そのように合成樹脂フィルムＦ２を被覆させた後には、重なり合った２枚の合成樹脂フィルムＦ１，Ｆ２の左右の端縁際の部分（マチ構成体４３，４３・・が挟み込まれた部分の外端縁際）を、一定の幅（約１３ｍｍ幅）でヒートシールする（ヒートシール部Ｈｂ）。さらに、そのように２枚の合成樹脂フィルムＦ１，Ｆ２の左右の端縁際の部分をヒートシールするのと並行して、２枚の合成樹脂フィルムＦ１，Ｆ２の間に挟み込まれたマチ構成体４３，４３・・の幅方向の中央部分を、一定の幅（約２６ｍｍ幅）でヒートシールする（ヒートシール部Ｈｃ）。
【００４５】
加えて、そのように２枚の合成樹脂フィルムＦ１，Ｆ２の左右の端縁際の部分、およびマチ構成体４３，４３・・の幅方向の中央部分をヒートシールするのと同時に、マチ構成体４３，４３・・の幅方向の中央のヒートシール部Ｈｃとマチ構成体４３，４３・・の外側の端縁際のヒートシール部Ｈｂとに跨がるように、一定幅（約７ｍｍ幅）の傾斜状（ヒートシール部Ｈｃに対して約±４５°の傾斜状）にヒートシールを施す（ヒートシール部Ｈｄ）。そのようにマチ構成体４３，４３・・の外側の端縁際および幅方向の中央部分等をヒートシールすることによって、２枚の合成樹脂フィルムＦ１，Ｆ２およびマチ構成体４３，４３・・からなる合成樹脂フィルム積層体４６が形成される。
【００４６】
そして、上記の如く、２枚の合成樹脂フィルムＦ１，Ｆ２およびマチ構成体４３，４３・・からなる合成樹脂フィルム積層体４６を形成した後には、その合成樹脂フィルム積層体４６を、実施例１の製造方法と同様な態様で裁断する（裁断工程）ことによって、一辺を開口し、左右にマチを設けたガゼット袋Ｐ２，Ｐ２・・を連続的に形成することができる。なお、実施例２のガゼット袋Ｐ２の製造方法は、底部に折り込み部を設けるための挟み込み工程（ｆ）を実施しない以外は、実施例１のガゼット袋Ｐ１の製造方法と同じである。
【００４７】
＜ガゼット袋体の構成＞
図１１は、実施例２の製造方法で形成されたガゼット袋Ｐ２を示したものである。ガゼット袋Ｐ２の下端縁際には、底シール部７が略一定の高さ（約１３ｍｍ）の帯状に形成されており、側方シール部５，５・・の下端際の部分と重なり合っている。そして、当該底シール部７の中央の部分においては、表側の胴材２ａの裏面と裏側の胴材２ｂの裏面とが融着し合っており、底シール部７の左右の部分においては、それぞれ、胴材２ａ，２ｂの裏面と折り込み材３ａ，３ｂの裏面とが融着し合っている。
【００４８】
また、ガゼット袋体１の左右の下端縁際には、左右の側方シール部５，５・・から底シール部７に至るように、それぞれ一定幅（約７ｍｍ）の帯状の傾斜シール部２０，２０・・が設けられており、それらの傾斜シール部２０，２０・・は、水平方向に対して約４５°傾斜した状態になっている。また、傾斜シール部２０，２０・・の外側の端縁は、側方シール部５，５・・と重なり合っており、また、傾斜シール部２０，２０・・の内側の端縁（下端縁）は、底シール部７と重なり合っている。
【００４９】
さらに、底シール部７の左右両端際の部分（マチの部分）には、それぞれ、スポット融着部１９，１９が設けられている。当該スポット融着部１９，１９においては、二つ折りした折り込み材３ａ，３ｂを貫通するように略半楕円状の貫通孔（図示せず）が設けられており、それらの貫通孔を介して、表側の胴材２ａの裏面と裏側の胴材２ｂの裏面とが直接的に融着し合っている。実施例２の製造方法によって形成されるガゼット袋Ｐ２のその他の部分の構成は、実施例１の製造方法によって形成されるガゼット袋Ｐ１の構成と同じである。
【００５０】
＜ガゼット袋の製造方法による効果＞
上記した実施例２のガゼット袋Ｐ２の製造方法も、実施例１のガゼット袋Ｐ１の製造方法と同様に、マチ構成体形成工程（ａ）、載置工程（ｂ）、帯状部材融着工程（ｃ）、ヒートシール工程（ｄ）、裁断工程（ｅ）を有しているので、ガゼット袋Ｐ２を簡潔なプロセスで歩留まり良く効率的にかつ安価に生産することができる。
【００５１】
＜ガゼット袋の製造方法の変更例＞
本発明に係るガゼット袋の製造方法は、上記実施形態の態様に何ら限定されるものではなく、使用される合成樹脂製フィルムの材質、形成されるガゼット袋の大きさ（高さ、幅、マチの幅、底部の折り込み部の幅等）、底シール部、側方シール部、傾斜シール部の形状等の構成を、本発明の趣旨を逸脱しない範囲で、必要に応じて適宜変更できる。たとえば、本発明に係るガゼット袋の製造方法で使用される合成樹脂フィルムは、上記実施形態の如く、ナイロンフィルムとポリエステルフィルムとポリエチレンフィルム（直鎖状低密度ポリエチレンフィルム）とを積層させたものに限定されず、他の材質の合成樹脂フィルムを積層させたものでも良い。なお、合成樹脂フィルムとして、ナイロンフィルムとポリエステルフィルムとポリエチレンフィルム（直鎖状低密度ポリエチレンフィルム）とを積層させたものを用いた場合には、ガゼット袋の強度が良好なものとなるとともに、ガゼット袋の製造が容易なものとなる。
【００５２】
また、本発明に係るガゼット袋の製造方法は、上記実施形態の如く、載置工程において、「所定の長さのマチ構成体を、長尺な帯状の第一の合成樹脂フィルムの上に、長手方向が互いに直交し、かつ、第一の合成樹脂フィルムの長手方向に沿って所定の長さを隔てて等間隔となるように、外端縁を揃えて左右２列に載置するもの」に限定されず、図１２の如く、載置工程において、「所定の長さのマチ構成体４３，４３・・を、第一の合成樹脂フィルムＦ１の上に、長手方向が互いに直交し、かつ、第一の合成樹脂フィルムＦ１の長手方向に沿って所定の長さを隔てて等間隔となり、なおかつ、外端縁が第一の合成樹脂フィルムＦ１の外側の端縁より内側に位置するように揃えて載置するもの」に変更することも可能である。すなわち、左右の折り込み材３ａ，３ｂの２つの端縁（長手方向に対して垂直な端縁）際を２本の帯状部材１０，１０によって固着（ヒートシール）する位置を、第一の合成樹脂フィルムＦ１の左右の端縁際にすることも可能である。
【００５３】
なお、かかる構成を採用する場合には、マチ構成体４３，４３・・の長さを第一の合成樹脂フィルムＦ１の幅よりも小さくするとともに、ヒートシール工程（ｄ）において、図１３の如く、複数のマチ構成体４３，４３・・を固着してなる第一の合成樹脂フィルムＦ１の上に、第二の合成樹脂フィルムＦ２を被覆させて、挟み込まれた複数のマチ構成体４３，４３・・の幅方向の各中央部分および長手方向の中央部分を一定の幅でヒートシールすることによって（それぞれ、ヒートシール部Ｈｃ、ヒートシール部Ｈｄ）、複数のマチ構成体４３，４３・・と第一の合成樹脂フィルムＦ１と第二の合成樹脂フィルムＦ２とを固着させてなる合成樹脂フィルム積層体４６を形成し、かつ、裁断工程において、形成された合成樹脂フィルム積層体４６を、挟み込まれた複数のマチ構成体４３，４３・・の長手方向の中間（図１３におけるε）、および、幅方向の中央のヒートシール部分（図１３におけるδ）とにおいて裁断する必要がある。そのような製造方法によってガゼット袋を製造する場合でも、実施例１や実施例２のガゼット袋の製造方法と同様に、内容量が非常に大きく内容物を充填し易いガゼット袋を簡潔なプロセスで歩留まり良く効率的にかつ安価に生産することができる。
【００５４】
また、上記した実施例２の製造方法の如く、底部に折り込み部を形成しない場合には、２枚の合成樹脂フィルムに挟み込まれるマチ構成体の外側の端縁付近に傾斜シール部を設ける工程ではなく、２枚の合成樹脂フィルムに挟み込まれるマチ構成体の外側の端縁付近に、中側から外側にかけて次第に幅広になるように（正面視が略三角形状になるように）テーパ状のシール部を設ける工程を採用することも可能である。
【００５５】
また、マチ構成体を裏側の胴材形成用の合成樹脂フィルムに固着させるための帯状部材は、上記実施形態の如く、ナイロンフィルム（ベースフィルム）の上下に、それぞれ、ＬＬＤＰＥフィルムを積層してなる三層構造の合成樹脂フィルムからなるものに限定されず、異なる合成樹脂によって形成された合成樹脂フィルムからなるものに変更することも可能である。さらに、帯状部材の層構造や厚みも、必要に応じて適宜変更することができる。また、帯状部材は、上記実施形態の如く、横長で単純なテープ状のものに限定されず、所定の部分の上下幅を異ならせたものや、貫通孔を設けたもの等でも良い。
【００５６】
また、マチ構成体形成工程において、合成樹脂フィルムの左右の折返し部（合成樹脂フィルムの左右を折り返して形成された部分）の対峙した端縁（あるいは端縁の一部）を繋ぎ止めるための方法は、上記実施形態の如く、熱接着性を有する長尺な帯状の離反防止テープを対峙した端縁を跨がるようにヒートシールする方法に限定されず、接着剤等を用いて長尺な帯状の離反防止部材を接着する方法や、合成樹脂フィルムの左右を一定幅で互いに重なり合うように折り返して、その重なり合った部分を所定の間隔で融着あるいは接着する方法、合成樹脂フィルムの左右を一定幅で互いに重なり合うように折り返して、その重なり合った部分を所定の間隔で、あるいは連続的に超音波シールする方法や、合成樹脂フィルムの左右を折り返して、それぞれの端縁際を、被折返し部分（ベース部分）に、所定の間隔で、あるいは連続的に超音波シールする方法等に変更することも可能である。
【００５７】
加えて、本発明に係るガゼット袋の製造方法は、上記実施形態の如く、マチ構成体形成工程において、合成樹脂フィルムの左右の折返し部の対峙した端縁全体を繋ぎ止めるものに限定されず、合成樹脂フィルムの左右の折返し部の対峙した端縁の一部を繋ぎ止めるものに変更することも可能である。なお、合成樹脂フィルムの左右の折返し部の対峙した端縁全体を繋ぎ止める構成を採用した場合には、帯状部材融着工程において、マチ構成体を胴材形成用の第一の合成樹脂フィルムに固着させる際に、マチ構成体の形状が崩れにくくなる、というメリットがある。
【００５８】
さらに、本発明に係るガゼット袋の製造方法は、上記実施形態の如く、マチ構成体形成工程で連続的に形成されるマチ構成体を、載置工程において、第一の合成樹脂フィルムの左右いずれかの片側から挿入して第一の合成樹脂フィルム上に２列に載置するものに限定されず、マチ構成体形成工程で連続的に形成されるマチ構成体を、載置工程において、第一の合成樹脂フィルムの左右両側から１個ずつ挿入して第一の合成樹脂フィルム上に２列に載置するもの等に変更することも可能である。かかる構成を採用する場合には、載置工程に要する時間を短縮することができる、というメリットがある。
【００５９】
また、本発明に係るガゼット袋の製造方法は、上記実施形態の如く、裏側の胴材形成用の長尺な帯状の合成樹脂フィルムにマチ構成体を固着させるものに限定されず、表側の胴材形成用の長尺な帯状の合成樹脂フィルムにマチ構成体を固着させるものでも良い。加えて、本発明に係るガゼット袋の製造方法は、上記実施形態の如く、内容物を充填した後に上端縁の開口部をそのままヒートシールして用いるガゼット袋の製造方法に限定されず、上端縁の開口部にスパウトを装着して用いるガゼット袋の製造方法でも良い。スパウトを装着する場合には、ガゼット袋の上端縁にスパウトを鉛直に装着することも可能であるし、ガゼット袋の上端縁の角（コーナー部分）を裁断してスパウトを斜めに傾けて装着することも可能である。
【産業上の利用可能性】
【００６０】
本発明のガゼット袋の製造方法は、上記の如く優れた効果を奏するものであるから、各種のガゼット袋を製造するための方法として好適に用いることができる。
【符号の説明】
【００６１】
１・・ガゼット袋
２ａ，２ｂ・・胴材
３ａ，３ｂ・・折り込み材
４・・折り込み材
１０・・帯状部材
Ｆ１・・第一の合成樹脂フィルム
Ｆ２・・第二の合成樹脂フィルム
Ｆ３・・第三の合成樹脂フィルム
４３・・マチ構成体
Ｏ・・開口部
【図１】
2018167568.tif 000003
【図２】
2018167568.tif 000004
【図３】
2018167568.tif 000005
【図４】
2018167568.tif 000006
【図５】
2018167568.tif 000007
【図６】
2018167568.tif 000008
【図７】
2018167568.tif 000009
【図８】
2018167568.tif 000010
【図９】
2018167568.tif 000011
【図１０】
2018167568.tif 000012
【図１１】
2018167568.tif 000013
【図１２】
2018167568.tif 000014
【図１３】
2018167568.tif 000015